(57)【要約】    【課題】  インク収容管の先端から継ぎ手が外れにくく、しかも、インク収容管の先端付近や継ぎ手の後端付近にクラックが発生しにくい筆記具を提供する。    【解決手段】  継ぎ手50は、その後端付近に、インク収容管31を固定するための収容管固定部51を有している。収容管固定部51は、筒状の内筒部52と、この内筒部52の外側に設けられ、かつ、その内径が内筒部52の外径よりも大きい筒状の外筒部53とを有している。内筒部52の外周面は、インク収容管31の内周面に圧接し、外筒部53の内周面は、インク収容管31の外周面に圧接している。    【選択図】  図１
2005074841.tif 000002
【特許請求の範囲】
【請求項１】
筒状のインク収容管と、
このインク収容管の先端に固定した継ぎ手と、
この継ぎ手の先端に固定したチップとを備えた筆記具であって、
継ぎ手は、その後端付近に、インク収容管を固定するための収容管固定部を有し、
収容管固定部は、
筒状の内筒部と、
この内筒部の外側に設けられ、かつ、その内径が内筒部の外径よりも大きい筒状の外筒部と、
を有し、
内筒部の外周面は、インク収容管の内周面に圧接し、
外筒部の内周面は、インク収容管の外周面に圧接していることを特徴とする筆記具。
【請求項２】
内筒部の外周面には、インク収容管の内周面と全周にわたって圧接するシール部が設けられていることを特徴とする請求項１記載の筆記具。
【請求項３】
内筒部がインク収容管を押し広げようとする力よりも、外筒部がインク収容管を押しすぼめようとする力の方が強いことを特徴とする請求項１又は２記載の筆記具。
【請求項４】
インク収容管は、その内部を外部から視認可能に形成され、
継ぎ手は、その内部を外部から視認不可能に形成され、
外筒部の後端は、内筒部の後端よりも後方まで延びていることを特徴とする請求項１、２又は３記載の筆記具。
【発明の詳細な説明】
【技術分野】
【０００１】
本発明は、筆記具に関し、さらに詳しくは、インク収容管の先端に継ぎ手が固定され、この継ぎ手の先端にチップが固定されている筆記具に関するものである。
【背景技術】
【０００２】
従来、インク収容管の先端に継ぎ手が固定され、この継ぎ手の先端にチップが固定されている筆記具として、例えば、下記の特許文献１に開示されているボールペンが知られている。このボールペンは、筒状のインク収容管と、筒状の継ぎ手とを備えている。また、継ぎ手の後端付近の内径は、インク収容管の先端付近の外径よりもわずかに小さく形成されている。そして、このボールペンでは、インク収容管の先端付近を、継ぎ手の後端付近の内部に圧入することにより、インク収容管の先端に継ぎ手を固定している。
また、インク収容管の先端に継ぎ手が固定され、この継ぎ手の先端にチップが固定されている筆記具として、例えば、下記の特許文献２に開示されているボールペンも知られている。このボールペンも、筒状のインク収容管と、筒状の継ぎ手とを備えている。また、継ぎ手の後端付近の外径は、インク収容管の先端付近の内径よりもわずかに大きく形成されている。そして、このボールペンでは、継ぎ手の後端付近を、インク収容管の先端付近の内部に圧入することにより、インク収容管の先端に継ぎ手を固定している。
【特許文献１】特開２００２−１２０４８５号公報
【特許文献２】特開２００２−２１９８９２号公報
【発明の開示】
【発明が解決しようとする課題】
【０００３】
しかし、インク収容管の先端付近を継ぎ手の後端付近の内部に圧入したり、あるいは継ぎ手の後端付近をインク収容管の先端付近の内部に圧入すると、インク収容管の先端付近や継ぎ手の後端付近が変形することから、インク収容管の先端付近や継ぎ手の後端付近に、クラックが発生してしまうおそれがある。
つまり、インク収容管の先端付近を継ぎ手の後端付近の内部に圧入すると、インク収容管の先端付近は、継ぎ手の後端付近により、外側から内側へ向けて押しすぼめられ、一方、継ぎ手の後端付近は、インク収容管の先端付近により、内側から外側へ向けて押し広げられる。また、継ぎ手の後端付近をインク収容管の先端付近の内部に圧入すると、インク収容管の先端付近は、継ぎ手の後端付近により、内側から外側へ向けて押し広げられ、一方、継ぎ手の後端付近は、インク収容管の先端付近により、外側から内側へ向けて押しすぼめられる。いずれにせよ、インク収容管の先端付近や継ぎ手の後端付近が変形して、インク収容管の先端付近や継ぎ手の後端付近に、クラックが発生してしまうおそれがある。
【０００４】
また、インクの特性等により、インク収容管や継ぎ手に、引っ張り伸びが比較的小さい材料や、ロックウェル硬度値が比較的大きい材料が用いられる場合があるが、この場合に特に、クラックが発生しやすくなる。
また、インク収容管の外径と継ぎ手の内径との差を比較的小さくして、継ぎ手内部へのインク収容管の圧入力を比較的弱めたり、あるいはインク収容管の内径と継ぎ手の外径との差を比較的小さくして、インク収容管内部への継ぎ手の圧入力を比較的弱めると、インク収容管の先端付近や継ぎ手の後端付近の変形が比較的小さくなることから、インク収容管の先端付近や継ぎ手の後端付近にクラックは発生しにくくなるものの、今度はインク収容管の先端から継ぎ手が外れやすくなってしまう。
【０００５】
そこで、本発明は、インク収容管の先端から継ぎ手が外れにくく、しかも、インク収容管の先端付近や継ぎ手の後端付近にクラックが発生しにくい筆記具を提供することを、第１の課題とする。
また、本発明は、インク収容管と継ぎ手との間からインクが漏れ出さない筆記具を提供することを、第２の課題とする。
また、本発明は、特にインク収容管の先端付近におけるクラックの発生を防止するようにした筆記具を提供することを、第３の課題とする。
また、本発明は、インクの残量を誤認しにくい筆記具を提供することを、第４の課題とする。
【課題を解決するための手段】
【０００６】
（１）第１の発明
前記第１の課題に鑑み、本発明のうち第１の発明は、筒状のインク収容管31と、このインク収容管31の先端に固定した継ぎ手50と、この継ぎ手50の先端に固定したチップ40とを備えた筆記具であって、継ぎ手50は、その後端付近に、インク収容管31を固定するための収容管固定部51を有し、収容管固定部51は、筒状の内筒部52と、この内筒部52の外側に設けられ、かつ、その内径が内筒部52の外径よりも大きい筒状の外筒部53とを有し、内筒部52の外周面は、インク収容管31の内周面に圧接し、外筒部53の内周面は、インク収容管31の外周面に圧接していることを特徴とする。
【０００７】
つまり、本発明は、インク収容管31の先端に継ぎ手50が固定され、この継ぎ手50の先端にチップ40が固定されている筆記具に関するものである。
ここで、「インク収容管31」は、インクを収容するためのものである。インク収容管31は、筒状に形成されている。
また、「継ぎ手50」は、インク収容管31とチップ40とを接続するためのものである。継ぎ手50の先端に、チップ40が固定され、継ぎ手50の後端に、インク収容管31が固定される。
また、継ぎ手50の後端付近には、インク収容管31を固定するための「収容管固定部51」が設けられている。収容管固定部51は、筒状の「内筒部52」と、この内筒部52の外側に設けられている筒状の「外筒部53」とを有している。また、外筒部53の内径は、内筒部52の外径よりも大きく形成されている。そして、内筒部52の外周面は、インク収容管31の内周面に圧接し、外筒部53の内周面は、インク収容管31の外周面に圧接している。
【０００８】
例えば、内筒部52の外径を、インク収容管31の内径よりもわずかに大きく形成し、かつ、外筒部53の内径を、インク収容管31の外径よりもわずかに小さく形成する。そして、内筒部52と外筒部53との間の間隙に、インク収容管31の先端付近を押し込む。そうすると、内筒部52の外周面を、インク収容管31の内周面に圧接させ、かつ、外筒部53の内周面を、インク収容管31の外周面に圧接させることができる。
また、例えば、内筒部52の外径を、インク収容管31の内径とほぼ等しく形成し、かつ、外筒部53の内径を、インク収容管31の外径よりもわずかに小さく形成する。またここで、外筒部53については、インク収容管31の先端付近をわずかに押しすぼめ得るように、十分な強度を有するように形成する。そして、内筒部52と外筒部53との間の間隙に、インク収容管31の先端付近を押し込む。このようにしても、内筒部52の外周面を、インク収容管31の内周面に圧接させ、かつ、外筒部53の内周面を、インク収容管31の外周面に圧接させることができる。
【０００９】
また、例えば、内筒部52の外径を、インク収容管31の内径よりもわずかに大きく形成し、かつ、外筒部53の内径を、インク収容管31の外径とほぼ等しく形成する。またここで、内筒部52については、インク収容管31の先端付近をわずかに押し広げ得るように、十分な強度を有するように形成する。そして、内筒部52と外筒部53との間の間隙に、インク収容管31の先端付近を押し込む。このようにしても、内筒部52の外周面を、インク収容管31の内周面に圧接させ、かつ、外筒部53の内周面を、インク収容管31の外周面に圧接させることができる。
また、内筒部52の外周面がインク収容管31の内周面に圧接さえしていれば、例えば、内筒部52の外周面に溝などが設けられていてもよく、また、内筒部52の外周面が多角形状などに形成されていてもよい。
【００１０】
また、外筒部53の内周面がインク収容管31の外周面に圧接さえしていれば、例えば、外筒部53の内周面に溝などが設けられていてもよく、また、外筒部53の内周面が多角形状などに形成されていてもよい。
（２）第２の発明
前記第２の課題に鑑み、本発明のうち第２の発明は、第１の発明の特徴に加え、内筒部52の外周面には、インク収容管31の内周面と全周にわたって圧接するシール部52aが設けられていることを特徴とする。
ここで、「シール部52a」は、内筒部52の外周面に設けられており、インク収容管31の内周面と全周にわたって圧接している。つまり、シール部52aは、内筒部52の外周面に環状に設けられており、インク収容管31と継ぎ手50との間の隙間をシールしている。
【００１１】
（３）第３の発明
前記第３の課題に鑑み、本発明のうち第３の発明は、第１及び第２の発明の特徴に加え、内筒部52がインク収容管31を押し広げようとする力よりも、外筒部53がインク収容管31を押しすぼめようとする力の方が強いことを特徴とする。
例えば、内筒部52の外径を、インク収容管31の内径よりもわずかに大きく形成し、かつ、外筒部53の内径を、インク収容管31の外径よりもわずかに小さく形成する。また、内筒部52の外径とインク収容管31の内径との差を、外筒部53の内径とインク収容管31の外径との差よりも小さくする。また、内筒部52の肉厚を、外筒部53の肉厚と等しくし、また、内筒部52の材料を、外筒部53の材料と同じにする。そして、内筒部52と外筒部53との間の間隙に、インク収容管31の先端付近を押し込む。そうすると、内筒部52の外周面を、インク収容管31の内周面に圧接させ、かつ、外筒部53の内周面を、インク収容管31の外周面に圧接させることができ、更には、内筒部52がインク収容管31を押し広げようとする力よりも、外筒部53がインク収容管31を押しすぼめようとする力の方を強くすることができる。
【００１２】
また、例えば、内筒部52の外径を、インク収容管31の内径とほぼ等しく形成し、かつ、外筒部53の内径を、インク収容管31の外径よりもわずかに小さく形成する。また、内筒部52の肉厚を、外筒部53の肉厚と等しくし、また、内筒部52の材料を、外筒部53の材料と同じにする。そして、内筒部52と外筒部53との間の間隙に、インク収容管31の先端付近を押し込む。このようにしても、内筒部52の外周面を、インク収容管31の内周面に圧接させ、かつ、外筒部53の内周面を、インク収容管31の外周面に圧接させることができ、更には、内筒部52がインク収容管31を押し広げようとする力よりも、外筒部53がインク収容管31を押しすぼめようとする力の方を強くすることができる。
【００１３】
また、例えば、内筒部52の外径を、インク収容管31の内径よりもわずかに大きく形成し、かつ、外筒部53の内径を、インク収容管31の外径よりもわずかに小さく形成する。また、内筒部52の外径とインク収容管31の内径との差を、外筒部53の内径とインク収容管31の外径との差と等しくする。また、内筒部52の肉厚を、外筒部53の肉厚と等しくする。また、内筒部52の材料を、外筒部53の材料よりも軟らかいものにする。そして、内筒部52と外筒部53との間の間隙に、インク収容管31の先端付近を押し込む。このようにしても、内筒部52の外周面を、インク収容管31の内周面に圧接させ、かつ、外筒部53の内周面を、インク収容管31の外周面に圧接させることができ、更には、内筒部52がインク収容管31を押し広げようとする力よりも、外筒部53がインク収容管31を押しすぼめようとする力の方を強くすることができる。
【００１４】
また、例えば、内筒部52の外径を、インク収容管31の内径よりもわずかに大きく形成し、かつ、外筒部53の内径を、インク収容管31の外径よりもわずかに小さく形成する。また、内筒部52の外径とインク収容管31の内径との差を、外筒部53の内径とインク収容管31の外径との差と等しくする。また、内筒部52の肉厚を、外筒部53の肉厚よりも薄くする。また、内筒部52の材料を、外筒部53の材料と同じにする。そして、内筒部52と外筒部53との間の間隙に、インク収容管31の先端付近を押し込む。このようにしても、内筒部52の外周面を、インク収容管31の内周面に圧接させ、かつ、外筒部53の内周面を、インク収容管31の外周面に圧接させることができ、更には、内筒部52がインク収容管31を押し広げようとする力よりも、外筒部53がインク収容管31を押しすぼめようとする力の方を強くすることができる。
【００１５】
（４）第４の発明
前記第４の課題に鑑み、本発明のうち第４の発明は、第１ないし第３の発明の特徴に加え、インク収容管31は、その内部を外部から視認可能に形成され、継ぎ手50は、その内部を外部から視認不可能に形成され、外筒部53の後端は、内筒部52の後端よりも後方まで延びていることを特徴とする。
ここで、インク収容管31は、その内部を外部から視認可能に形成されている。これにより、インク収容管31の内部にどのくらいインクが残っているかが、インク収容管31の外部から見てわかる。
【００１６】
例えば、透明又は半透明な材料を用いてインク収容管31を形成すると、インク収容管31の内部を外部から視認可能にすることができる。
また、継ぎ手50は、その内部を外部から視認不可能に形成されている。
例えば、不透明な材料を用いて継ぎ手50を形成すると、継ぎ手50の内部を外部から視認不可能にすることができる。
また、例えば、透明又は半透明な材料を用いて継ぎ手50を形成しても、継ぎ手50の表面に不透明な塗装を施すことにより、継ぎ手50の内部を外部から視認不可能にすることができる。
【００１７】
また、外筒部53の後端は、内筒部52の後端よりも後方まで延びている。これにより、継ぎ手50を側方から見ると、内筒部52の後端が外筒部53で隠れる。
【発明の効果】
【００１８】
（１）第１の発明の効果
第１の発明によれば、内筒部の外周面が、インク収容管の内周面に圧接し、かつ、外筒部の内周面が、インク収容管の外周面に圧接している。このため、インク収容管の先端付近は、内側と外側との両方から押さえ込まれるようにして、継ぎ手の後端付近に固定されている。これにより、インク収容管と継ぎ手との間の係止力を比較的大きくしつつ、インク収容管の先端付近や継ぎ手の後端付近の変形を比較的小さく抑えることができる。したがって、インク収容管の先端から継ぎ手が外れにくくすることができ、しかも、インク収容管の先端付近や継ぎ手の後端付近にクラックが発生しにくくすることができるのである。
【００１９】
（２）第２の発明の効果
第２の発明によれば、インク収容管と継ぎ手との間の隙間が、シール部によってシールされる。このため、インク収容管と継ぎ手との間から、インクが漏れ出さないのである。
（３）第３の発明の効果
第３の発明によれば、インク収容管の先端付近には、圧縮力が加えられることとなる。ところで、クラックは、圧縮力が加えられたときよりも、引っ張り力が加えられたときの方が、発生しやすい。このため、第３の発明によれば、インク収容管の先端付近に、クラックが発生しにくくすることができるのである。
【００２０】
またここで、引っ張り伸びが比較的小さい材料や、ロックウェル硬度値が比較的大きい材料は、圧縮力を加えられたときよりも、引っ張り力を加えられたときの方が、クラックを発生させやすいのみならず、引っ張り力にはきわめて弱くて、比較的弱い引っ張り力を加えられただけでも、クラックを発生させてしまうことがある。このため、第３の発明は、上述したような材料をインク収容管に用いた場合に、特に有効である。
（４）第４の発明の効果
第４の発明によれば、内筒部の後端が、外筒部で隠れる。このため、インクの残量の誤認を防止できる。つまり、内筒部は、インク収容管の内部に位置することから、インクを使い切った際に、内筒部の後端に、インクが付着して残ることがある。このような付着して残ったインクがあると、インクをまだ使い切っていないと、ユーザーが誤認することがある。第４の発明によれば、内筒部の後端にインクが付着して残っても、内筒部の後端が外筒部で隠れることから、ユーザーには付着して残ったインクが見えないので、インクの残量の誤認を防止できるのである。
【発明を実施するための最良の形態】
【００２１】
以下、本実施の形態に係る筆記具としてのボールペンについて説明する。
図１は、ボールペン10の側断面図、図２は、ボールペン10の要部側断面図、図３は、収容管固定部51の拡大図、図４は、継ぎ手50の側断面図、図５は、図４のＡ−Ａ線断面図である。
本実施の形態に係る筆記具としてのボールペン10は、図１に示すように、筒状の軸筒15と、この軸筒15の内部に組み込まれたリフィル30とを備えている。
リフィル30は、図１に示すように、筒状のインク収容管31と、このインク収容管31の先端に固定した継ぎ手50と、この継ぎ手50の先端に固定したチップ40とを備えている。
【００２２】
インク収容管31は、インクを収容するためのものである。このインク収容管31の内部に、インクが収容される。
また、インク収容管31は、継ぎ手50の材質より硬く、剛性の高い材料を用いて形成されている。具体的には、インク収容管31には、例えば、環状オレフィンコポリマー（ＣＯＣ）を用いることができる。環状オレフィンコポリマー（ＣＯＣ）のロックウェル硬度値は１２０、引っ張り伸び率は１００％である。また、インク収容管31には、例えば、ポリカーボネートや、アクリルスチレンなどを用いることもできる。
また、インク収容管31は、透明な材料を用いて形成されていて、その内部を外部から視認可能とされている。これにより、インク収容管31の内部にどのくらいインクが残っているかが、インク収容管31の外部から見てわかるようになっている。
【００２３】
継ぎ手50は、インク収容管31とチップ40とを接続するためのものである。この継ぎ手50の先端に、チップ40が固定され、この継ぎ手50の後端には、インク収容管31が固定されている。
また、継ぎ手50は、インク収容管31の材質よりも軟らかく、伸びの良い材料を用いて、射出成型により一体的に形成されている。具体的には、継ぎ手50には、例えば、ポリプロピレン（ＰＰ）を用いることができる。ポリプロピレン（ＰＰ）のロックウェル硬度値は１００であり、引っ張り伸び率は２００％である。また、継ぎ手50には、例えば、ポリエチレンなどを用いることもできる。
【００２４】
また、継ぎ手50は、不透明な材料を用いて形成されていて、その内部を外部から視認不可能とされている。
また、図２及び図３に示すように、継ぎ手50の後端付近には、インク収容管31を固定するための収容管固定部51が設けられている。収容管固定部51は、筒状の内筒部52と、この内筒部52の外側に設けられている筒状の外筒部53とを有している。また、内筒部52と外筒部53とは、軸心を一致させてある。また、外筒部53の内径は、内筒部52の外径よりも大きく形成されている。また、内筒部52の外径は、インク収容管31の内径よりもわずかに大きく形成されている。また、外筒部53の内径は、インク収容管31の外径よりもわずかに小さく形成されている。そして、内筒部52と外筒部53との間の間隙に、インク収容管31の先端付近が圧入されている。これにより、内筒部52の外周面が、インク収容管31の内周面に圧接するとともに、外筒部53の内周面が、インク収容管31の外周面に圧接して、インク収容管31の先端に、継ぎ手50が固定されている。
【００２５】
また、図２及び図３に示すように、内筒部52の外周面には、インク収容管31の内周面と全周にわたって圧接するシール部52aが設けられている。つまり、シール部52aは、内筒部52の外周面に環状に設けられており、インク収容管31の内周面と全周にわたって圧接している。これにより、シール部52aは、インク収容管31と継ぎ手50との間の隙間をシールしている。
また、図２ないし図５に示すように、外筒部53の内周面には、外筒部53の中心から見て放射状に、４本の通気溝53aが設けられている。各通気溝53aは、外筒部53の内周面の前端から後端まで形成されている。これらの通気溝53aは、インク収容管31の先端付近を内筒部52と外筒部53との間の間隙に圧入し始めてから圧入し終える直前までの間、継ぎ手50の内部と外部とを連通させるためのものであって、継ぎ手50の内部にある空気を外部へ排出するためのものである。
【００２６】
また、内筒部52の外径とインク収容管31の内径との差は、外筒部53の内径とインク収容管31の外径との差よりも小さくしてある。更に、図２及び図３に示すように、内筒部52の肉厚は、外筒部53の肉厚よりも薄くしてある。これにより、内筒部52がインク収容管31を押し広げようとする力よりも、外筒部53がインク収容管31を押しすぼめようとする力の方が強くなっている。
また、図２ないし図４に示すように、外筒部53の後端は、内筒部52の後端よりも後方まで延びている。これにより、継ぎ手50を側方から見ると、内筒部52の後端が外筒部53で隠れるようになっている。
【００２７】
また、継ぎ手50には、その先端から後端まで貫通する貫通孔54が設けられている。貫通孔54は、先端側から順に、チップ固定孔54a、弁室54b、弁座54c、小導孔54d、及び大導孔54eからなる。つまり、継ぎ手50の先端側から順に、チップ固定孔54a、弁室54b、弁座54c、小導孔54d、及び大導孔54eが一連となって、貫通孔54が構成されている。チップ固定孔54aと弁室54bとは、内径がほぼ等しい円孔状に形成されている。また、弁座54cは、後端側へ向けて内径を次第に小さくするテーパー状に形成されている。また、小導孔54dは、貫通孔54の中で内径が最も小さい円孔状に形成されている。また、大導孔54eは、小導孔54dよりも内径が大きい円孔状に形成されている。また、大導孔54eは、インク収容管31の内部へ連通している。
【００２８】
チップ40は、ボール41と、このボール41を抱持するためのホルダー42とを備えている。ホルダー42は、その先端に、ボール41を収納するためのボールハウス43を有するとともに、その後端からボールハウス43まで貫通するバック孔44を有している。ボールハウス43にボール41を収納した後に、ホルダー42の先端をかしめることにより、ホルダー42の先端にボール41を回転自在に抱持させている。また、バック孔44は、後端側から先端側へ向けて内径が階段状に小さくなっている。
また、ホルダー42の後端付近には、ホルダー42の中央部分よりも外径が小さい小径部45が設けられている。そして、この小径部45が、継ぎ手50のチップ固定孔54aに圧入されている。このようにして、継ぎ手50の先端に、チップ40が固定されている。
【００２９】
また、貫通孔54の途中には、逆流防止機構19が設けられている。この逆流防止機構19は、インクの逆流を防止するためのものである。この逆流防止機構19は、弁室54b、流入口55、流出口56、弁体57、規制体58、及び弁座54cからなる。弁室54bは、継ぎ手50の中心に位置しており、貫通孔54の一部から構成されている。弁室54bのインク収容管31側には、流入口55が開口し、弁室54bのチップ40側には、流出口56が開口している。本実施の形態では、小導孔54dの先端側の開口部が、流入口55となっており、また、バック孔44の後端側の開口部が、流出口56となっている。流入口55も、流出口56も、弁室54bより内径が小さい。そして、流入口55から弁室54b内へインクが流入し、また、弁室54b内のインクは流出口56から流出する。
【００３０】
また、弁室54b内には、弁体57と規制体58とが収納されている。弁体57は、弁室54b内における流入口55側の位置に収納され、また、規制体58は、弁室54b内における流出口56側の位置に収納されている。
弁体57は、ステンレス製で、球状に形成されている。弁体57の直径は、弁室54bの内径よりも小さく、かつ、流入口55の内径よりも大きい。これにより、弁体57は、自重により弁室54b内を移動可能とされている。また、弁体57は、流入口55から弁室54bの外部へ抜け出すこともない。
規制体58は、ステンレス製で、長方形の平板状に形成されている。規制体58の短辺は、弁室54bの内径よりも小さく、かつ、流出口56の内径よりも大きい。また、規制体58の長辺は、弁室54bの内径よりも大きい。これにより、規制体58は、自重により弁室54b内を移動可能とされ、また、弁室54b内のインクの流れを遮断せず、かつ、流出口56を塞がない。また、規制体58は、流出口56から弁室54bの外部へ抜け出すこともない。したがって、規制体58が、ホルダー42内に入り込むことはなく、また、ボール41と接触することもない。
【００３１】
また、弁体57も、規制体58も、弁室54b内を移動可能とされるものの、弁体57は、常に、規制体58よりも流入口55側に位置し、また、規制体58は、常に、弁体57よりも流出口56側に位置する。
そして、チップ40を上向きにすると、弁体57が自重で流入口55方向へ落下し、弁座54cの全周にわたって弁体57が当接して、流入口55が弁体57で塞がれる。これにより、インクの逆流が防止される。
一方、チップ40を下向きにすると、弁体57が自重で流出口56方向へ落下し、弁座54cから弁体57が離れて、流入口55が開放される。同時に、規制体58が自重で流出口56方向へ落下してチップ40のホルダー42の後端に当接し、弁体57は、規制体58に当接して流出口56まで到達しない。これにより、流入口55から弁室54b内へインクが流入するとともに、流出口56が弁体57で塞がれないので、弁室54b内のインクが流出口56から流出して、チップ40へインクが供給される。またこのとき、弁体57は、弁座54cから離れるものの、規制体58によって流出口56方向への移動を規制されるため、弁座54cから比較的近い位置に留まる。このため、チップ40を下向きから上向きにしたときに、弁体57が弁座54cに当接するまでに要する時間が、比較的短い。
【００３２】
以上説明したように、本実施の形態では、内筒部52の外周面が、インク収容管31の内周面に圧接し、かつ、外筒部53の内周面が、インク収容管31の外周面に圧接している。このため、インク収容管31の先端付近は、内側と外側との両方から押さえ込まれるようにして、継ぎ手50の後端付近に固定されている。これにより、インク収容管31と継ぎ手50との間の係止力を比較的大きくしつつも、インク収容管31の先端付近や継ぎ手50の後端付近の変形は比較的小さく抑えられている。したがって、インク収容管31の先端から継ぎ手50が外れにくく、しかも、インク収容管31の先端付近や継ぎ手50の後端付近にクラックが発生しにくいのである。
【００３３】
また、本実施の形態では、インク収容管31と継ぎ手50との間の隙間が、シール部52aによってシールされている。このため、インク収容管31と継ぎ手50との間から、インクが漏れ出さないのである。
また、本実施の形態では、インク収容管31には、引っ張り伸びが比較的小さい材料が用いられている。かかる材料は、圧縮力を加えられたときよりも、引っ張り力を加えられたときの方が、クラックを発生させやすいのみならず、引っ張り力にはきわめて弱くて、比較的弱い引っ張り力を加えられただけでも、クラックを発生させてしまうことがある。しかしながら、本実施の形態では、内筒部52がインク収容管31を押し広げようとする力よりも、外筒部53がインク収容管31を押しすぼめようとする力の方が強くなっている。これにより、インク収容管31の先端付近には、圧縮力が加えられるようになっているので、インク収容管31の先端付近に、クラックが発生しにくいのである。
【００３４】
また、本実施の形態では、内筒部52は、インク収容管31の内部に位置することから、インクを使い切った際に、内筒部52の後端に、インクが付着して残ることがある。しかしながら、本実施の形態では、内筒部52の後端が外筒部53で隠れることから、内筒部52の後端にインクが付着して残ったとしても、ユーザーには内筒部52の後端に付着して残ったインクが見えないので、インクの残量の誤認を防止できるのである。
【図面の簡単な説明】
【００３５】
【図１】本発明の実施の形態に係る筆記具としてのボールペンの側断面図。
【図２】本発明の実施の形態に係る筆記具としてのボールペンの要部側断面図。
【図３】本発明の実施の形態に係る筆記具としてのボールペンの収容管固定部の拡大図。
【図４】本発明の実施の形態に係る筆記具としてのボールペンの継ぎ手の側断面図。
【図５】図４のＡ−Ａ線断面図。
【符号の説明】
【００３６】
10   ボールペン                          15   軸筒
19   逆流防止機構
30   リフィル                            31   インク収容管
40   チップ                              41   ボール
42   ホルダー                            43   ボールハウス
44   バック孔                            45   小径部
50   継ぎ手                              51   収容管固定部
52   内筒部                              52a  シール部
53   外筒部                              53a  通気溝
54   貫通孔                              54a  チップ固定孔
54b  弁室                                54c  弁座
54d  小導孔                              54e  大導孔
55   流入口                              56   流出口
57   弁体                                58   規制体
【図１】
2005074841.tif 000003
【図２】
2005074841.tif 000004
【図３】
2005074841.tif 000005
【図４】
2005074841.tif 000006
【図５】
2005074841.tif 000007